(57)【特許請求の範囲】
【請求項１】
四角形をした載置板に上面側が上方に開口した凹部となり下面側が凹部に嵌め込むことができる下方に突出した凸部となった複数の脚部を垂設し、載置板の下面側の脚部間にフォーク差し込み部を形成した合成樹脂製のパレットにおいて、載置板の下面側に縦横に本体補強リブを下方に向けて突設し、少なくともフォーク差し込み部に対応する位置で載置板の外周の端縁と本体補強リブの外周の外周リブとの間に上記端縁と直交する端部補強リブを下面側に突出するように設け、端部補強リブの下端縁は本体補強リブの外周リブに向かって徐々に下に下がる傾斜縁を有し、フォーク差し込み部に対応する位置で載置板の外周の端面に荷造りバンドを掛けるためのバンド掛け用凹部を凹設し、バンド掛け用凹部と本体補強リブの外周リブとの間に下端縁を端部補強リブの下端縁より上に位置させてなるバンド掛け部補強用縦リブを設けて成ることを特徴とする運搬用パレット。
【請求項２】
四角形をした載置板に上面側が上方に開口した凹部となり下面側が凹部に嵌め込むことができる下方に突出した凸部となった複数の脚部を垂設し、載置板の下面側の脚部間にフォーク差し込み部を形成し、載置板の下面側に縦横に本体補強リブを下方に向けて突設し、少なくともフォーク差し込み部に対応する位置で載置板の外周の端縁と本体補強リブの外周の外周リブとの間に上記端縁と直交する端部補強リブを下面側に突出するように設けた合成樹脂製のパレットにおいて、フォーク差し込み部に対応する位置で載置板の外周の端面に荷造りバンドを掛けるためのバンド掛け用凹部を凹設し、前記バンド掛け用凹部の範囲内に、該バンド掛け用凹部の凹底部と本体補強リブの外周リブとの間に補強リブを設け、前記補強リブの下端縁に、バンド掛け用凹部の凹底部から本体補強リブの外周リブに向かって徐々に下に下がる傾斜縁を形成して成ることを特徴とする運搬用パレット。
【請求項３】
四角形をした載置板に上面側が上方に開口した凹部となり下面側が凹部に嵌め込むことができる下方に突出した凸部となった複数の脚部を垂設し、載置板の下面側の脚部間に該載置板の互いに対向する一の対をなす辺及び他の対をなす辺よりフォークを差し込み可能なフォーク差し込み部を形成し、載置板の下面側に縦横に本体補強リブを下方に向けて突設し、少なくとも載置板の一の対をなす辺に形成されたフォーク差し込み部に対応する位置で載置板の外周の端縁と本体補強リブの外周の外周リブとの間に上記端縁と直交する端部補強リブを下面側に突出するように設け、端部補強リブの下端縁は載置板の上記端縁から本体補強リブの外周リブに向かって徐々に下に下がる傾斜縁を有し、前記フォーク差し込み部に対応する位置で載置板の外周の端面に荷造りバンドを掛けるためのバンド掛け用凹部を凹設し、載置板の他の対をなす辺の外周の端面にバンド掛け用凹部を凹設し、該バンド掛け用凹部の範囲内に、フォーク差し込み部の下端よりも上方に下端が位置するバンド掛け部補強用縦リブを設けて成ることを特徴とする運搬用パレット。
【発明の詳細な説明】
【０００１】
【発明の属する技術分野】
本発明は、スキッドパレットと称されるシート状の運搬用パレットに関するものである。
【０００２】
【従来の技術】
従来からスキッドパレットと称されるシート状の運搬用パレットが知られている。このスキッドパレットと称されるシート状の運搬用パレットは、ポリプロピレン又は再生ポリプロピレンを射出成形法やプレス成形法により一体的に形成したものであり、複数枚積み重ねて嵩低くして保管、運搬し、使用時には一枚づつフォークリフトによりリフトアップして使用されるものである。このため、運搬用パレットは四角形をした載置板の上面側が上方に開口した凹部となり且つ下面が凹部に嵌め込むことができる下方に突出した凸部となった複数の脚部を垂設することで構成してあり、保管、運搬する際には、下段の運搬用パレットの脚部の上面側の上方に開口した凹部に、上段の運搬用パレットの脚部の下面部の下方に突出した凸部を嵌め込んで積み重ね高さを低くするようにしている。また上記運搬用パレットにおいては載置板の下面側の脚部間がフォーク差し込み部となっている。
【０００３】
【発明が解決しようとする課題】
ところで、上記のように構成される運搬用パレットで載置板の上に荷物を積載して荷造りをする場合、ポリプロピレンバンドのような荷造りバンドをフォーク差し込み部に通して載置板と荷物に巻回して緊締されるが、上記のようなスキッドパレットは構造上特に載置板の外周の端縁の強度が弱く、荷造りバンドを緊締したとき載置板の端縁が変形しやすく破損したりするという問題がある。
【０００４】
本発明は上記の点に鑑みてなされたものであり、荷造りバンドを緊締して荷造りしても破損するおそれがない運搬用パレットを提供することを課題とするものである。
【０００５】
【課題を解決するための手段】
上記課題を解決するための本発明の運搬用パレットは、四角形をした載置板１に上面側が上方に開口した凹部２となり下面側が凹部２に嵌め込むことができる下方に突出した凸部３となった複数の脚部４を垂設し、載置板１の下面側の脚部４間にフォーク差し込み部５を形成した合成樹脂製のパレットにおいて、載置板１の下面側に縦横に本体補強リブ６を下方に向けて突設し、少なくともフォーク差し込み部５に対応する位置で載置板１の外周の端縁と本体補強リブ６の外周の外周リブ６ａとの間に上記端縁と直交する端部補強リブ７を下面側に突出するように設け、端部補強リブ７の下端縁は本体補強リブ６の外周リブ６ａに向かって徐々に下に下がる傾斜縁８ａを有し、フォーク差し込み部５に対応する位置で載置板１の外周の端面に荷造りバンド９を掛けるためのバンド掛け用凹部１０を凹設し、バンド掛け用凹部１０と本体補強リブ６の外周リブ６ａとの間に下端縁を端部補強リブ７の下端縁より上に位置させてなるバンド掛け部補強用縦リブ１２を設けて成ることを特徴とする。
【０００６】
しかして載置板１の下面側に縦横に本体補強リブ６を下方に向けて突設し、少なくともフォーク差し込み部５に対応する位置で載置板１の外周の端縁と本体補強リブ６の外周の外周リブ６ａとの間に上記端縁と直交する端部補強リブ７を下面側に突出するように設けたことにより、スキッドパレットと称されるシート状のパレットであっても本体補強リブ６と端部補強リブ７にて補強して強度的に強固にでき、特に端部補強リブ７にて載置板１の端縁を補強できて運搬用パレットＡの端縁を強度的に強固にできる。しかも端部補強リブ７の下端縁は本体補強リブ６の外周リブ６ａに向かって徐々に下に下がる傾斜縁８ａを有することにより、載置板１の端部に端部補強リブ７を設けてあっても、フォークリフトのフォークをフォーク差し込み部５に差し込むときフォークが傾斜縁８ａにガイドされ、フォークが本体補強リブ６の外周リブ６ａに引っ掛かったりしないようにガイドされてフォークをスムーズに差し込むことができる。さらにフォーク差し込み部５に対応する位置で載置板１の外周の端面に荷造りバンド９を掛けるためのバンド掛け用凹部１０を凹設したことにより、荷造りバンド９を巻回するときバンド掛け用凹部１０に荷造りバンド９を掛けて荷造りバンド９を位置決めできて荷造りバンド９を掛けやすくできる。さらにバンド掛け用凹部１０と本体補強リブ６の外周リブ６ａとの間にバンド掛け部補強用縦リブ１２を設けたことにより、荷造りバンド９を掛ける部分をバンド掛け部補強用縦リブ１２にてさらに補強できて荷造りバンド９を掛ける部分の強度を一層向上できて荷造りバンド９の緊締による破損を防止できる。
【０００７】
また端部補強リブ７の下端縁は載置板１の端縁から本体補強リブ６の外周リブ６ａに向かって徐々に下に下がる傾斜縁８ａを有する構造にすると、フォークリフトのフォークをフォーク差し込み部に差し込むときフォークが傾斜縁８ａにガイドされ、一層フォークが本体補強リブ６の外周リブ６ａに引っ掛かったりしないようにガイドされてフォークをスムーズに差し込むことができる。またバンド掛け部補強用縦リブ１２の下端縁を端部補強リブ７の下端縁より上に位置させると、荷造りバンド９を緊締したとき荷造りバンド９がバンド掛け部補強用縦リブ１２に当たることがなく、バンド掛け部補強用縦リブ１２を設けても荷造りバンド９の緊締の邪魔になることなく荷造りバンド９を強く緊締できる。
また、請求項２に係る運搬用パレットは、四角形をした載置板１に上面側が上方に開口した凹部２となり下面側が凹部２に嵌め込むことができる下方に突出した凸部３となった複数の脚部４を垂設し、載置板１の下面側の脚部４間にフォーク差し込み部５を形成し、載置板１の下面側に縦横に本体補強リブ６を下方に向けて突設し、少なくともフォーク差し込み部５に対応する位置で載置板１の外周の端縁と本体補強リブ６の外周の外周リブ６ａとの間に上記端縁と直交する端部補強リブ７を下面側に突出するように設けた合成樹脂製のパレットにおいて、フォーク差し込み部５に対応する位置で載置板１の外周の端面に荷造りバンド９を掛けるためのバンド掛け用凹部１０を凹設し、前記バンド掛け用凹部１０の範囲内に、該バンド掛け用凹部１０の凹底部と本体補強リブ６の外周リブ６ａとの間に補強リブを設け、前記補強リブの下端縁に、バンド掛け用凹部１０の凹底部から本体補強リブ６の外周リブ６ａに向かって徐々に下に下がる傾斜縁８ａを形成して成ることを特徴とする。
また、請求項３に係る運搬用パレットは、四角形をした載置板１に上面側が上方に開口した凹部２となり下面側が凹部２に嵌め込むことができる下方に突出した凸部３となった複数の脚部４を垂設し、載置板１の下面側の脚部４間に該載置板１の互いに対向する一の対をなす辺及び他の対をなす辺よりフォークを差し込み可能なフォーク差し込み部５を形成し、載置板１の下面側に縦横に本体補強リブ６を下方に向けて突設し、少なくとも載置板１の一の対をなす辺に形成されたフォーク差し込み部５に対応する位置で載置板１の外周の端縁と本体補強リブ６の外周の外周リブ６ａとの間に上記端縁と直交する端部補強リブ７を下面側に突出するように設け、端部補強リブ７の下端縁は載置板１の上記端縁から本体補強リブ６の外周リブ６ａに向かって徐々に下に下がる傾斜縁８ａを有し、前記フォーク差し込み部５に対応する位置で載置板１の外周の端面に荷造りバンド９を掛けるためのバンド掛け用凹部１０を凹設し、載置板１の他の対をなす辺の外周の端面にバンド掛け用凹部１０を凹設し、該バンド掛け用凹部１０の範囲内に、フォーク差し込み部５の下端縁よりも上方に下端が位置するバンド掛け部補強用縦リブ１２を設けて成ることを特徴とする。
【０００８】
【発明の実施の形態】
運搬用パレットＡはスキッドパレットと称されるシート状のパレットであり、ポリプロピレン又は再生ポリプロピレン等の合成樹脂を射出成形法やプレス成形法により一体成形して形成してある。この運搬用パレットＡは図３乃至図８に示すように平面視正方形状又は長方形をした四角形の載置板１に上面側が上方に開口した凹部２となり且つ下面側が凹部２に嵌め込むことができる形状の下方に突出した凸部３となった形状の複数の脚部４を縦横に垂設して構成してある。つまり、脚部４は平面視における形状が下に行く程小さくなっていて、凹部２に凸部３を嵌め込むことができるようにしてある。この運搬用パレットＡの下面側において、脚部４間がフォークリフトのフォークを差し込むフォーク差し込み部５となっている。
【０００９】
この運搬用パレットＡの載置板１の下面側には縦横に略全面に亙るように本体補強リブ６を下方に突出するように設けてあり、本体補強リブ６の下端縁は全面に亙って面一になっている。この本体補強リブ６は載置板１の外周の端部を除く全面に亙って設けてある。載置板１の外周の端縁には下方に垂下せる垂下縁１３を全周に亙って設けてある。この垂下縁１３の下端は本体補強リブ６の下端より上に位置している。フォーク差し込み部６に対応する位置で垂下縁１３と本体補強リブ６の外周の外周リブ６ａとの間には垂下縁１３や外周リブ６ａに対して直交する端部補強リブ７を所定の間隔で等間隔に設けてある。端部補強リブ７の下端縁は垂下縁１３から外周リブ６ａに向かって徐々に下に下がる傾斜縁８ａとしてあると共に、外周リブ６ａの手前では外周リブ６ａの下端と面一の水平縁８ｂとしてある。また運搬用パレットＡの外周部に位置する脚部６と垂下縁１３との間でも端部補強リブ７′を設けてあり、端部補強リブ７′の下端縁を垂下縁１３から脚部６に向かって徐々に下がる傾斜縁８ａ′としてある。上記のように運搬用パレットＡは載置板１の下面に本体補強リブ６や端部補強リブ７，７′を設けてあるためにスキッドパレットと称されるパレットであっても全体的に補強して強度を向上でき、特に外周に端部補強リブ７を設けてあるために載置板１の外周の強度を向上できる。また運搬用パレットＡをフォークリフトで運搬するときフォークリフトのフォークがフォーク差し込み部５に差し込まれるが、端部補強リブ７の下端縁が傾斜縁８ａと水平縁８ｂとを有しているためにフォークを差し込むときフォークの先端が外周リブ６ａに当たったりしないようにガイドしてフォークをスムーズに挿入することができる。
【００１０】
運搬用パレットＡの各フォーク差し込み部６に対応する位置で載置板１の外周の端縁には他の部分より僅かに凹没させたバンド掛け用凹部１０を設けてあり、ポリプロピレンバンドのような荷造りバンド９をバンド掛け用凹部１０に位置決めして掛けることができるようになっている。本例のバンド掛け用凹部１０は３つの端部補強リブ７に亙る間隔よりやや広い間隔で設けてある。このバンド掛け用凹部１０に掛ける荷造りバンド９の幅は隣り合う端部補強リブ７間の幅より狭いものであり、中央の端部補強リブ７を境として両側に（図２の符号Ｂ，Ｂ′に示す部分）に夫々荷造りバンド９を通すことができるようになっている。またバンド掛け用凹部１０はフォーク差し込み部６に対応する部分に設けるのであるが、運搬用パレットＡの隅部に位置する脚部４の方に偏るように設けてある。運搬用パレットＡの載置板１の上には荷物Ｃが図９、図１０に示すように載せられ、ポリプロピレンバンドのような荷造りバンド９がフォーク差し込み部６に通され、載置板１と荷物Ｃに荷造りバンド９が巻回されて緊締され、運搬用パレットＡに荷物Ｃが積載固定される。かかる荷物Ｃはダンボール梱包等をしたものであり、電子部品や工業部品等がある。荷造りバンド９を巻回するとき荷造りバンド９がバンド掛け用凹部１０に掛けられて位置決めされ、荷造りバンド９が掛けやすくなると共に所定位置に掛けることができる。このとき図２の符号Ｂ，Ｂ′の何れか一方または両方に荷造りバンド９を通すことができるために中間の端部補強リブ７の下端縁の傾斜縁８ａと水平縁８ｂとの間に角部８ｃに荷造りバンド９が掛かったりすることなく、荷造りバンド９を強く緊締できる。またバンド掛け用凹部１０を隅部の脚部６側に偏らせてあるために荷造りバンド９を通して巻回する位置が荷物Ｃの両端部寄りになり、運搬用パレットＡの上に安定よくまた強固に荷物Ｃを支持固定できる。
【００１１】
またバンド掛け用凹部１０を設けた部分で隣り合う端部補強リブ７間には図１、図２に示すように垂下縁１３や外周リブ６ａと平行になるようにバンド掛け部補強用横リブ１１を設けてある。このバンド掛け部補強用横リブ１１は垂下縁１３と外周リブ６ａとの間の中間部に設けてある。また垂下縁１３とバンド掛け部補強用横リブ１１との間には垂下縁１３と直交するようにバンド掛け部補強用縦リブ１２設けてある。またバンド掛け部補強用横リブ１１やバンド掛け部補強用縦リブ１２の下端縁を端部補強リブ７の下端縁より上に位置させてある。このようにバンド掛け用凹部１０に対応する位置にバンド掛け部補強用横リブ１１とバンド掛け部補強用縦リブ１２を設けて補強すると荷造りバンド９を掛ける部分をバンド掛け部補強用横リブ１１とバンド掛け部補強用縦リブ１２にて補強できて荷造りバンド９を掛ける部分の強度を一層向上できて荷造りバンド９の緊締による破損を防止できる。このときバンド掛け部補強用横リブ１１やバンド掛け部補強用縦リブ１２の下端縁を端部補強リブ７の下端縁より上に位置させていることで、荷造りバンド９を緊締したとき荷造りバンド９がバンド掛け部補強用横リブ１１とバンド掛け部補強用縦リブ１２に当たることがなく、バンド掛け部補強用横リブ１１とバンド掛け部補強用縦リブ１２とを設けても荷造りバンド９の緊締の邪魔になることなく荷造りバンド９を強く緊締できる。つまり、荷造りバンド９を掛ける部分を補強するために上記端部補強リブ７を細かい間隔で設けることも考えられるが、端部補強リブ７を細かい間隔で設けると、荷造りバンド９が傾斜縁８ａと水平縁８ｂとの間の角部８ｃに掛かり、強く緊締できないと共に荷造りバンド９が破損するおそれがある。しかし上記のようにバンド掛け部補強用横リブ１１やバンド掛け部補強用縦リブ１２を設けて補強するとそのようなことがない。
【００１２】
【発明の効果】
上記のように本発明は、載置板の下面側に縦横に本体補強リブを下方に向けて突設し、少なくともフォーク差し込み部に対応する位置で載置板の外周の端縁と本体補強リブの外周の外周リブとの間に上記端縁と直交する端部補強リブを下面側に突出するように設けたので、スキッドパレットと称されるシート状のパレットであっても本体補強リブと端部補強リブにて補強して強度的に強固にできるのは勿論、端部補強リブにて載置板の端縁を補強できて運搬用パレットの端縁を強度的に強固にできるものであり、しかも端部補強リブの下端縁は本体補強リブの外周リブに向かって徐々に下に下がる傾斜縁を有するので、載置板の端部に端部補強リブを設けてあっても、フォークリフトのフォークをフォーク差し込み部に差し込むときフォークが傾斜縁にガイドされ、フォークが本体補強リブの外周リブに引っ掛かったりしないようにガイドされてフォークをスムーズに差し込むことができるものであり、さらにフォーク差し込み部に対応する位置で載置板の外周の端面に荷造りバンドを掛けるためのバンド掛け用凹部を凹設したので、荷造りバンドを巻回するときバンド掛け用凹部に荷造りバンドを掛けて荷造りバンドを位置決めできて荷造りバンドを掛けやすくできるものであり、さらにバンド掛け用凹部と本体補強リブの外周リブとの間にバンド掛け部補強用縦リブを設けたので、荷造りバンドを掛ける部分をバンド掛け部補強用縦リブにてさらに補強できて荷造りバンドを掛ける部分の強度を一層向上できて荷造りバンドの緊締による破損を防止できるものである。
【００１３】
また端部補強リブの下端縁は載置板の端縁から本体補強リブの外周リブに向かって徐々に下に下がる傾斜縁を有する構造になっているので、フォークリフトのフォークをフォーク差し込み部に差し込むときフォークが傾斜縁にガイドされ、一層フォークが本体補強リブの外周リブに引っ掛かったりしないようにガイドされてフォークをスムーズに差し込むことができるものであり、またバンド掛け部補強用縦リブの下端縁を端部補強リブの下端縁より上に位置させたので、荷造りバンドを緊締したとき荷造りバンドがバンド掛け部補強用縦リブに当たることがなく、バンド掛け部補強用縦リブを設けても荷造りバンドの緊締の邪魔になることなく荷造りバンドを強く緊締できるものである。
【図面の簡単な説明】
【図１】本発明の運搬用パレットの要部を示し、図３のＤ−Ｄ線断面図である。
【図２】図１の部分の底面図である。
【図３】同上の運搬用パレット全体の平面図である。
【図４】図３の底面図である。
【図５】図３の正面図である。
【図６】図３の右側面図である。
【図７】図３のＥ−Ｅ線断面図である。
【図８】図３のＦ−Ｆ線断面図である。
【図９】同上の荷物を載せて荷造りバンドを掛けた状態の正面図である。
【図１０】図９の側面から見た断面図である。
【符号の説明】
１  載置板
２  凹部
３  凸部
４  脚部
５  フォーク差し込み部
６  本体補強リブ
６ａ  外周リブ
７  端部補強リブ
８ａ  傾斜縁
８ｂ  水平縁
９  荷造りバンド
１０  バンド掛け用凹部
１１  バンド掛け部補強用横リブ
１２  バンド掛け部補強用縦リブ
【図１】
0004303356.tif 000002
【図２】
0004303356.tif 000003
【図３】
0004303356.tif 000004
【図４】
0004303356.tif 000005
【図５】
0004303356.tif 000006
【図６】
0004303356.tif 000007
【図７】
0004303356.tif 000008
【図８】
0004303356.tif 000009
【図９】
0004303356.tif 000010
【図１０】
0004303356.tif 000011